(57)【要約】【課題】ロボットの外表面の任意の位置に安定的に着脱可能に取り付ける。【解決手段】円筒状の外表面を少なくとも一部に有するロボットのダイレクトティーチングの際に作業者により操作される操作ユニット２と、操作ユニット２への操作情報をロボットの制御装置に通信する通信部と、操作ユニット２を、ロボットの任意の外表面に着脱可能に取り付ける取付手段３とを備え、操作ユニット２が、ロボットの外表面と操作ユニット２との間に回り止め手段を備える協働ロボット用操作装置１である。【選択図】図４
2020082312.tif 000002
【特許請求の範囲】
【請求項１】
円筒状の外表面を少なくとも一部に有するロボットのダイレクトティーチングの際に作業者により操作される操作ユニットと、
該操作ユニットへの操作情報を前記ロボットの制御装置に通信する通信部と、
前記操作ユニットを、前記ロボットの前記外表面に着脱可能に取り付ける取付手段とを備え、
前記操作ユニットが、前記ロボットの前記外表面と前記操作ユニットとの間に回り止め手段を備えるロボット用操作装置。
【請求項２】
前記回り止め手段は、前記操作ユニットが前記取付手段により前記外表面に取り付けられたときに、前記外表面と前記操作ユニットとの間の摩擦を増大させる滑り止め部である請求項１に記載のロボット用操作装置。
【請求項３】
前記操作ユニットが、前記ロボットの前記外表面と３か所以上において同時に接触する支持部を備え、前記滑り止め部が、各前記支持部に設けられている請求項２に記載のロボット用操作装置。
【請求項４】
支持部が、４か所以上の点状接触部を備える請求項３に記載のロボット用操作装置。
【請求項５】
前記支持部が、２本の平行な直線の一の前記直線に沿って接触する線状接触部と、他の前記直線上に配置された２か所以上の点状接触部とを備える請求項３に記載のロボット用操作装置。
【請求項６】
前記点状接触部が、前記操作ユニットの裏面に設けられた球体状の突起である請求項４または請求項５に記載のロボット用操作装置。
【請求項７】
前記線状接触部が前記操作ユニットの裏面である請求項５に記載のロボット用操作装置。
【請求項８】
前記線状接触部が前記操作ユニットの裏面に設けられた円柱状の突起である請求項５に記載のロボット用操作装置。
【請求項９】
前記支持部が、２本の直線に沿って接触する２本の線状接触部を備える請求項３に記載のロボット用操作装置。
【請求項１０】
一方の前記線状接触部が前記操作ユニットの裏面である請求項９に記載のロボット用操作装置。
【請求項１１】
少なくとも一方の前記線状接触部が前記操作ユニットの裏面に設けられた円柱状の突起である請求項９または請求項１０に記載のロボット用操作装置。
【請求項１２】
前記取付手段が、前記ロボットのアームに巻き付けられて固定されるベルトである請求項１に記載のロボット用操作装置。
【請求項１３】
前記取付手段が、巻き付け周長を調節可能である請求項１２に記載のロボット用操作装置。
【発明の詳細な説明】
【技術分野】
【０００１】
本発明は、ロボット用操作装置に関するものである。
【背景技術】
【０００２】
従来、ダイレクトティーチングを行うためのタッチパネルモニタをアームに着脱可能に取り付けたロボットが知られている（例えば、特許文献１参照。）。
このロボットは、ダイレクトティーチングに際して作業者が力を加えるアーム近傍にタッチパネルモニタを取り付けて、ダイレクトティーチング作業をロボットの近くで行うことを可能にし、アームの姿勢によりタッチパネルモニタが見えにくい場合に、アームからタッチパネルモニタを取り外して使用する。
【先行技術文献】
【特許文献】
【０００３】
【特許文献１】特開２０１５−１８２１４２号公報
【発明の概要】
【発明が解決しようとする課題】
【０００４】
しかしながら、特許文献１は、タッチパネルモニタをどのようにアームに取り付けるのかについて何ら開示していない。すなわち、ロボットは、作業者等との接触の際に作業者に与えるダメージを低減するために外面を曲面により構成している。また、ロボットの各部の曲率は異なるため、平板状のタッチパネルモニタを安定的に着脱可能に取り付けることは容易ではない。
本発明は、ロボットアームの外表面の任意の位置に安定的に着脱可能に取り付けることができ、ダイレクトティーチの際にのみ、ロボットアームの外表面上に取付けて使用し、ダイレクトティーチィングを行わない通常稼働時には、ロボットアームの外表面から、取り外すことで、ロボットアーム外表面を表面にエッジのない滑らかな表面を保ち、周辺機器への干渉リスクや、作業者に接触した際の負傷リスクを低減させるロボット用操作装置を提供することを目的としている。
【課題を解決するための手段】
【０００５】
本発明の一態様は、円筒状の外表面を少なくとも一部に有するロボットのダイレクトティーチングの際に作業者により操作される操作ユニットと、該操作ユニットへの操作情報を前記ロボットの制御装置に通信する通信部と、前記操作ユニットを、前記ロボットの前記外表面に着脱可能に取り付ける取付手段とを備え、前記操作ユニットが、前記ロボットの前記外表面と前記操作ユニットとの間に回り止め手段を備えるロボット用操作装置である。
【０００６】
本態様によれば、取付手段によって、操作ユニットをロボットの任意の外表面に取り付けると、操作ユニットに備えられた回り止め手段により、操作ユニットをアームの長手方向および周方向のいずれにも安定させることができる。これにより、特に協働ロボットにおいては、協働作業者との接触力を最小とするために、アーム外周が円筒形状となっているのが望ましく、更に協働ロボットでダイレクトティーチングが行われる頻度が高いことから、特に効果の高いものとなる。
【０００７】
ダイレクトティーチングの際には、作業者がロボットアームを直接手で持って誘導しつつ、誘導している手の指を使って、操作ユニットのボタンを同時に押し続けるなどの作業も要求されるため、操作ユニット上のボタンを押して偏荷重を掛けた時の不動の安定性は重要なものとなる。
【０００８】
これにより、操作ユニットをロボットの任意の外表面に安定して取り付けることができ、操作のために操作ユニットに力を加えても操作ユニットがガタガタ動いてしまう不都合の発生を防止して、操作を容易にすることができる。また、操作ユニットとロボットの外表面とを回り止め手段によって回り止めする方法によれば、曲率の異なるロボットの円筒状の外表面に対しても安定的に取り付けて、操作性のよい位置を選択することができる。
【０００９】
ロボットのダイレクトティーチングの際に作業者により操作ユニットが操作されると、操作情報が通信部によってロボットの制御装置に通信され、制御装置において教示プログラムが生成される。操作ユニットをロボットの円筒状の外表面に取り付けてダイレクトティーチングを行うので、作業者は両手でロボットを操作しながらダイレクトティーチングを行うことができる。
【００１０】
上記態様においては、前記回り止め手段は、前記操作ユニットが前記取付手段により前記外表面に取り付けられたときに、前記外表面と前記操作ユニットとの間の摩擦を増大させる滑り止め部であってもよい。
この構成により、操作ユニットに備えられた滑り止め部が、ロボットの円筒状の外表面と接触させられる。すなわち、ロボットのアーム等の円筒状の外表面に、滑り止め部を接触させてロボットの外表面と操作ユニットとの間の摩擦を増大させることにより、操作ユニットをアームの長手方向および周方向のいずれにも安定させることができる。
【００１１】
また、上記態様においては、前記操作ユニットが、前記ロボットの前記外表面と３か所以上において同時に接触する支持部を備え、前記滑り止め部が、各前記支持部に設けられていてもよい。
【００１２】
また、上記態様においては、前記支持部が、４か所以上の点状接触部を備えていてもよい。
この構成により、操作ユニットに設けられた４か所以上の点状接触部を同時にロボットの円筒状の外表面に接触させることにより、操作ユニットをロボットの外表面に安定して取り付けることができ、曲率の異なるロボットの円筒状の外表面に対しても安定的に取り付けることができる。
【００１３】
また、上記態様においては、前記支持部が、２本の平行な直線の一の前記直線に沿って接触する線状接触部と、他の前記直線上に配置された２か所以上の点状接触部とを備えていてもよい。
この構成により、操作ユニットに設けられた１つの線状接触部と２点以上の点状接触部を同時にロボットの円筒状の外表面に接触させることにより、操作ユニットをロボットの外表面に安定して取り付けることができ、曲率の異なるロボットの円筒状の外表面に対しても安定的に取り付けることができる。
【００１４】
また、上記態様においては、前記点状接触部が、前記操作ユニットの裏面に設けられた球体状の突起であってもよい。
この構成により、曲率の異なるロボットの円筒状の外表面に対して球体状の突起を容易に接触させて、操作ユニットを安定的に取り付けることができる。球状体の突起は、硬い金属または樹脂で構成してもよいし、ゴム等の弾性体で構成してもよい。
【００１５】
また、上記態様においては、前記線状接触部が前記操作ユニットの裏面であってもよい。
この構成により、平板状の操作ユニットの裏面をロボットの円筒面状の外表面に接触させるだけで、操作ユニットとロボットの円筒状の外表面とを線接触させることができる。
【００１６】
また、上記態様においては、前記線状接触部が前記操作ユニットの裏面に設けられた円柱状の突起であってもよい。
この構成により、操作ユニットの裏面に設けられた円柱状の突起をロボットの円筒面状の外表面の長さ方向に配置して接触させることにより、突起とロボットの円筒状の外表面とを線接触させることができる。
【００１７】
また、上記態様においては、前記支持部が、２本の直線に沿って接触する２本の線状接触部を備えていてもよい。
この構成により、ロボットの円筒面状の外表面の周方向に間隔をあけた位置に２本の線状接触部を配置することにより、各線状接触部を外表面の長さ方向に配置して同時に線接触させることができる。
【００１８】
また、上記態様においては、一方の前記線状接触部が前記操作ユニットの裏面であってもよい。
この構成により、一方の線状接触部については、操作ユニットの裏面をロボットの円筒面状の外表面に接触させるだけで、操作ユニットとロボットの外表面とを線接触させることができる。
【００１９】
また、上記態様においては、少なくとも一方の前記線状接触部が前記操作ユニットの裏面に設けられた円柱状の突起であってもよい。
この構成により、操作ユニットの裏面に設けられた円柱状の突起をロボットの円筒面状の外表面の長さ方向に配置して接触させることにより、突起とロボットの外表面とを線接触させることができる。
【００２０】
上記態様においては、前記取付手段が、前記ロボットのアームに巻き付けられて固定されるベルトであってもよい。
この構成により、ロボットのアームに特別な取付構造を設けなくても、操作ユニットに設けられたベルトをアームに巻き付けて簡易に着脱可能に取り付けることができる。
【００２１】
また、上記態様においては、前記取付手段が、巻き付け周長を調節可能であってもよい。
この構成により、ベルトの巻き付け周長を調節して、周長の異なるアームの任意の位置に着脱可能に取り付けることができる。
【発明の効果】
【００２２】
本発明によれば、ロボットの外表面の任意の位置に安定的に着脱可能に取り付けることができるという効果を奏する。
【図面の簡単な説明】
【００２３】
【図１】本発明の一実施形態に係るロボット用操作装置を示す斜視図である。
【図２】図１のロボット用操作装置をアームに取り付けた状態を示す斜視図である。
【図３】図１のロボット用操作装置を手首に取り付けた状態を示す斜視図である。
【図４】図２のロボット用操作装置をアームの長手軸方向に見た図である。
【図５】図１のロボット用操作装置の操作ユニットの裏面を示す斜視図である。
【図６】図５の操作ユニットに設けられた突起の変形例を示す斜視図である。
【図７】図５の操作ユニットに設けられた突起の他の変形例を示す斜視図である。
【図８】図４のロボット用操作装置の変形例をアームの長手軸方向に見た図である。
【図９】図８のロボット用操作装置の操作ユニットの裏面を示す斜視図である。
【図１０】図９の操作ユニットに設けられた突起の変形例を示す斜視図である。
【図１１】図４のロボット用操作装置の他の変形例をアームの長手軸方向に見た図である。
【発明を実施するための形態】
【００２４】
本発明の一実施形態に係るロボット用操作装置１について、図面を参照して以下に説明する。
本実施形態に係るロボット用操作装置１は、図１に示されるように、平板状の操作ユニット２と、操作ユニット２を協働ロボット（ロボット）１００の外表面に取り付けるための取付手段３とを備えている。操作ユニット２には、協働ロボット１００のダイレクトティーチングの際に作業者により操作される複数のボタン２１と、ボタン２１に割り当てられた操作情報を外部に通信する図示しない通信部とが設けられている。
【００２５】
例えば、操作ユニット２のボタン２１としては、押下されることによりダイレクトティーチングを有効にするボタン、教示点の座標を記憶するためのボタン、ロボットの先端に取り付けたツールの動作を教示するためのボタン等が挙げられる。ボタン２１の数および割り当てられる操作情報は任意である。また、ボタン２１の使用目的に応じて、ボタン２１の形状または色を変更する等を実施し、作業者の操作性向上を図ってもよい。
【００２６】
通信部は、無線あるいは有線のいずれの方式によって操作情報を通信してもよい。
有線の場合には、ロボット１００のアーム１１０内に通信ケーブルが予め通されており、アーム１１０の一部の防塵・防滴用の蓋を取り外すと、通信ケーブルを引き出して操作ユニット２と接続したり、防塵・防滴用の蓋を取り外すと、中継コネクタが現れ、通信部から引き出される中継コネクタを接続したりすること等が考えられる。あるいは、ロボット１００のアーム１１０の外這わしで、制御装置と操作ユニット２を直接接続しても良い。
【００２７】
取付手段３は、例えば、柔軟なベルトである。図１に示されるように、操作ユニット２を挟んで両側に延び、両端部に、例えば、面ファスナのような固定手段３１を備えている。
図２に示されるように、操作ユニット２を協働ロボット１００のアーム１１０の外表面に配置し、取付手段３であるベルトをアーム１１０に巻き付けて固定手段３１である面ファスナで固定することにより、操作ユニット２をアーム１１０の任意の位置に着脱可能に取り付けることができる。
【００２８】
固定手段３１としては、面ファスナに代えて、ベルト３の一端に、長さ方向に間隔をあけて設けたいずれかの孔にベルト３の他端に設けたバックルのピンを差し込んで固定する方式のものでもよいし、他の任意の方式のものを採用してもよい。面ファスナによれば連続的に、バックルによれば段階的にベルト３を巻き付ける周長を調節することができる。
【００２９】
本実施形態に係る協働ロボット用操作装置１においては、操作ユニット２の裏面２ａに、図４および図５に示される接触部（支持部）２２を備えている。接触部２２は、例えば、図５に示されるように、操作ユニット２の幅方向および長さ方向の両方に間隔をあけて配置された４個の突起（点状接触部）２３を備えている。各突起２３は、同一の半径を有する半球体状に形成されている。
すなわち、これらの突起２３は、幅方向に間隔をあけて平行に配置される２本の直線Ａ１，Ａ２上に、それぞれ２個ずつ直線Ａ１，Ａ２の長さ方向に間隔をあけて配置されている。
また、操作ユニット２は、接触部２２の表面を被覆するゴム（滑り止め部、回り止め手段：図示略）を備えている。
【００３０】
このように構成された本実施形態に係る協働ロボット用操作装置１の作用について以下に説明する。
本実施形態に係る協働ロボット用操作装置１を用いて協働ロボット１００のダイレクトティーチングを行うには、図１に示される協働ロボット用操作装置１を、例えば、図２に示されるように、協働ロボット１００のアーム１１０に取り付ける。
【００３１】
このとき、操作ユニット２の裏面２ａをアーム１１０の外表面に接触させて、操作ユニット２に設けられているベルト３をアーム１１０の周方向に巻き付ける。そして、ベルト３の両端に設けられている固定手段３１である面ファスナどうしを貼り付けることにより、操作ユニット２の裏面２ａに設けられている４つの突起２３を同時にアーム１１０の外表面に密着させた状態で、操作ユニット２を取り付けることができる。
固定手段３１の大きさを十分に広く確保しておくことにより、取り付けるアーム１１０の太さが異なっても、取り付けることができる。
【００３２】
４つの突起２３は、間隔をあけて平行に配置される直線Ａ１，Ａ２上に２個ずつ配置されているので、その直線Ａ１，Ａ２を、アーム１１０の長手軸に平行に配置することにより、円筒面状のアーム１１０の外表面に、同時に突起２３を接触させることができる。すなわち、図４に二点鎖線で示されるように、アーム１１０の曲率が異なっていても、４つの突起２３を同時に接触させることができる。
【００３３】
これにより、図４に矢印で示すように、突起２３間の任意の位置に操作ユニット２に対して負う圧力を加えても、押圧力の力点を挟んで両側の２つの突起２３によって支持されるので、操作ユニット２をアーム１１０の周方向にガタつかせることなく、安定的に操作することができる。アーム１１０の長手方向についても同様である。
【００３４】
また、本実施形態においては、突起２３が球体状に形成されているので、曲率の異なる全てのアーム１１０の外表面に対して、突起２３の接触点を適応させて、突起２３をアーム１１０の外表面の法線方向に点接触させることができる。これにより、操作ユニット２をより安定させた状態に支持し、より安定的な操作を行うことができる。
また、接触部２２の突起２３の表面が、滑り止め部であるゴムによって被覆されているため、ロボット１００の外表面と操作ユニット２との間の摩擦を増大させ、操作ユニット２をアーム１１０の長手方向および周方向のいずれにも安定させることができる。
【００３５】
協働ロボット用操作装置１が協働ロボット１００のアーム１１０に取り付けられた状態で、作業者が、操作ユニット２に設けられているダイレクトティーチングを有効にするボタン２１を押下することにより、ダイレクトティーチングの開始信号が通信部により制御装置に送られて、ダイレクトティーチングが開始される。
【００３６】
作業者は、ダイレクトティーチングを有効にするボタン２１を押下したままの状態で、両手で協働ロボット１００のアーム１１０に力を加えて、協働ロボット１００を動作させ、所望の位置で教示用のボタン２１を押すことにより、その時点での協働ロボット１００の座標が教示点の座標として記録される。また、必要に応じて、ツールの動作を指令するボタン２１を押すことにより、ツールの制御信号が制御装置におくられて記憶される。このようにして、ダイレクトティーチングを行うことができる。
【００３７】
この場合において、本実施形態に係る協働ロボット用操作装置１によれば、取り付けるアーム１１０の曲率を問わないので、ダイレクトティーチングを有効にするボタン２１を押下したままアーム１１０に力を加えるのに最も適した位置に協働ロボット用操作装置１を取り付けることができる。そして、任意の位置に取り付けても、操作ユニット２を常に安定的にアーム１１０に固定することができ、操作を容易にすることができる。
【００３８】
アーム１１０側に取付構造を設けないので、操作ユニット２の取付位置を自由に選択することができる。協働ロボット１００の姿勢によって操作ユニット２が操作し難くなる位置に配置する必要がなく、ダイレクトティーチングの間中にわたって操作しやすい任意の位置に配置することができる。また、やむを得ず操作し難い位置に固定されてしまった場合には、その都度、取付位置を変更して操作することができる。
【００３９】
また、本実施形態においては、取り付けるアーム１１０の外表面の曲率が異なっても４つの突起２３を同時にアーム１１０の外表面に接触させることができる。したがって、図２に示されるように、太い円筒状のアーム１１０に巻き付ける場合であっても、あるいは、図３に示されるように、アーム１１０よりも細い手首１２０の先端部に巻き付ける場合であっても、操作ユニット２を安定的に固定することができる。
【００４０】
また、本実施形態においては、４つの突起２３を球体状に形成したので、円筒状の外表面のみならず、球面状の外表面にも適応させて同時に点接触させることができる。
なお、本実施形態においては、４つの突起２３を協働ロボット１００の外表面に点接触させる場合について例示したが、突起２３の形状は球体状でなくてもよい。また、一方の直線上に配列される２つの突起２３に代えて、図６に示されるように、直線に沿う方向に延びる円柱状の突起（線状接触部）２４を採用してもよいし、図７に示されるように、２本の直線Ａ１，Ａ２上にそれぞれ配列された２つの突起２３をそれぞれ円柱状の突起２４に代えてもよい。
【００４１】
図６および図７に示されるように、球体状の突起２３を円柱状の突起２４に置き換えても、図４に示される関係はそのまま成立し、操作ユニット２を安定的に固定することができるという利点がある。
また、円柱状の突起２４により線接触させることに代えて、図８に示されるように、平板状の操作ユニット２の平面状の裏面（線状接触部）２ａをアーム１１０の外表面に線接触させてもよい。
【００４２】
すなわち、図９に示されるように、図６の円柱状の突起２４を削除して、裏面２ａの二点鎖線で示される位置に線接触させてもよいし、図１０に示されるように、図７の一方の円柱状の突起２４を削除して、裏面２ａの二点鎖線で示される位置に線接触させてもよい。
この場合においても、図８に示されるように、取り付けるアーム１１０の曲率が異なっても、アーム１１０の表面を操作ユニット２の裏面２ａに線接触させ、操作ユニット２を安定的に固定することができる。
【００４３】
また、４個の突起２３によって平行な直線上に２個ずつ間隔をあけて配置される４個の接点において突起２３と協働ロボット１００の外表面とを同時に接触させる場合について例示したが、これに代えて、同一直線上に配置されるのであれば、接点は３個以上設けてもよい。
【００４４】
また、本実施形態においては、操作ユニット２にはボタン２１が複数配置されている場合を例示したが、タッチパネルモニタによって、操作ボタンその他の情報を表示させることにしてもよい。また、操作ユニット２上に、タッチパネルではない表示装置を備えていてもよい。
また、ベルト３によって協働ロボット１００の任意の外表面に巻き付ける場合の他、作業者が自分自身の腕に巻き付けて使用してもよい。
【００４５】
また、矩形平板状の操作ユニット２を例示したが、円板状であってもよいし、他の任意の形状をしていてもよい。また、操作ユニット２自体が湾曲可能な形態を有し、協働ロボット１００の表面の曲率に合わせて湾曲させられることにより、操作ユニット２の裏面２ａと協働ロボット１００の外表面とを面接触させることにしてもよい。
【００４６】
また、操作ユニット２の裏面２ａまたは裏面２ａに設けた突起２３を協働ロボット１００の外表面に直接接触させる場合を例示したが、これに代えて、ベルト３またはその他の部材を介在させて間接的に接触させてもよい。
また、ロボット用操作装置１として、協働ロボット１００の外表面に取り付けるものを例示したが、協働ロボット１００に限られるものではなく、他の形式のロボットに用いられてもよい。
【００４７】
また、本実施形態においては、滑り止め部として、接触部２２を被覆するものを例示したが、これに代えて、接触部２２に取り付けられるものを採用してもよい。
また、滑り止め部としてゴムを例示したが、摩擦を増大させることができるならば他の部材を採用してもよい。また、滑り止め部として、接触部２２の表面の少なくとも一部を加工して摩擦を増大させるものを採用してもよい。
【００４８】
この場合、滑り止め部は、作業者が操作ユニット２に設けられているボタン２１を押下しても協働ロボット用操作装置１が回転しない、すなわち、ボタン２１の押下により加わるアーム１１０の長手方向および周方向のアーム１１０の外表面に沿って滑って回転する力よりも摩擦力が大きいものを採用することが好ましい。
【００４９】
また、本実施形態においては、支持部として、４つの突起２３表面を被覆するゴム（滑り止め部）を協働ロボット１００の外表面に点接触させる場合について例示したが、図１１に示されるように、協働ロボット１００の外表面に面接触させてもよい。
この場合、突起２３は、表面を協働ロボット１００のアーム１１０の外表面に合わせて加工したものを採用してもよいし、突起２３を弾性を有する素材で構成し、ベルト３を巻き付けて弾性変形することによりアーム１１０に面接触するものを採用してもよい。滑り止め部２５は、操作ユニット２の裏面２ａかつ各突起２３の間に設けられ、表面を凹凸加工することによって摩擦がより増大させられている。
【符号の説明】
【００５０】
１  ロボット用操作装置
２  操作ユニット
２ａ  裏面（線状接触部）
３  取付手段（ベルト）
２２  接触部（支持部）
２３  突起（点状接触部）
２４  突起（線状接触部）
２５  滑り止め部（回り止め手段）
１００  協働ロボット（ロボット）
１１０  アーム
Ａ１，Ａ２  直線
【図１】
2020082312.tif 000003
【図２】
2020082312.tif 000004
【図３】
2020082312.tif 000005
【図４】
2020082312.tif 000006
【図５】
2020082312.tif 000007
【図６】
2020082312.tif 000008
【図７】
2020082312.tif 000009
【図８】
2020082312.tif 000010
【図９】
2020082312.tif 000011
【図１０】
2020082312.tif 000012
【図１１】
2020082312.tif 000013